(57)【特許請求の範囲】
【請求項１】
出車する車の運転手が車道の走行状態が見易いように配置されるカーブミラーと、出車口の手前の出車路に設けられた第一の車検知器と、出車口に設けられる第二の車検知器の出力で作動する出車報知器と、出車する車の運転手が見易いように配置され、停電時にライト点滅と記載した表示に変更する表示器とを、給油所又は駐車場の出車口に立設され支柱に設け、停電時に出車する車の運転者は表示器の表示を受けてライトを点滅させ、このライトの点滅を受けてカーブミラーを介して出車する車があることを走行中の運転者に知らせることを特徴とする出車案内装置。
【発明の詳細な説明】
【０００１】
【発明の属する技術分野】
本発明は、給油所又は駐車場のように車が出入りする場所の出口に設置する出車案内装置に関するものである。
【０００２】
【従来の技術】
給油所又は駐車場の出口には、出車する車を検知して作動する出車報知器と、カーブミラーが設けられている。そして、出車報知器が作動することにより、車道を走行中の車の運転者は出車する車があることを知り、カーブミラーを見て出車する車の運転者は車道の走行状態を知り、出車する車と走行中の車との出会い頭の事故を未然に防止している。しかし、停電時には出車報知器が作動しないので、走行中の車の運転者へ出車を知らせることができず、出会い頭に事故となることがある。
【０００３】
【発明が解決しようとする課題】
そこで本発明は、停電時においても、車道を走行中の車の運転者に出車する車があることを確実に知らせることができ、出会い頭の事故を未然に防止できる出車案内装置を提供することである。
【０００４】
【課題を解決するための手段】
上記課題を解決するために、本発明は、出車する車の運転手が車道の走行状態が見易いように配置されるカーブミラーと、出車口の手前の出車路に設けられた第一の車検知器と、出車口に設けられる第二の車検知器の出力で作動する出車報知器と、出車する車の運転手が見易いように配置され、停電時に表示が変更する表示器とを、給油所又は駐車場の出車口に立設され支柱に設けている。そして、表示器の通電時に表示される表示に「ありがとうございました」等の文字を記し、停電時に表示される表示に「停電中。ライト点滅」等の文字を記しておくことにより、停電時に出車する車の運転者はライトを点滅し、走行中の運転者はカーブミラーを介して入射するライトの点滅により出車する車があることを知り、停電時に出車報知器が作動しなくても出会い頭の事故を未然に防止することができるようになる。
【０００５】
【発明の実施の形態】
以下、本発明の出車案内装置の実施の形態を説明する。図１に示すように、出車案内装置１は、支柱２の上部に設けられたカーブミラー３と、出車報知器４と、表示器５と、第一の車検知器６および第二の車検知器７で構成されている。なお、図中の符号８は、出車案内装置１の出車報知器４および表示器５の商用電力供給用のソケットである。このように、一本の支柱２に各機器の全てが設けられているので、設置工事の費用が安価となる。
【０００６】
カーブミラー３は、出車する車の運転者から車道の走行状態が見えるように配置される。即ち、出車する車の運転者はカーブミラー３で車道の走行状態を見て安全を確認でき、車道を走行中の運転者はカーブミラー３で出車する車を見て危険を回避できる。
【０００７】
出車報知器４には、複数の回転点滅灯４ａと、「出車注意」などが記された内照式看板４ｂが設けられている。そして、出車口の手前に設けられる第一の車検知器６の車検知信号で回転点滅灯４ａが回転して内照式看板４ｂが点滅し、出車口に設けられる第二の車検知器７の車非検知信号で回転点滅灯４ａが停止して内照式看板４ｂが消灯するようになっている。
【０００８】
この第一第二の車検知器６、７は、車が踏むと信号を出力するテープスイッチ式の車検知器、又は車を無接触で検知して信号を出力する超音波式の車検知器などが使用できる。
【０００９】
そして、図２、３に示すように表示器５は、上部がケース５ａにピン５ｂで軸支された回動板５ｃと、ケース５ａの下端部に設けられた電磁石５ｄと、回動板５ｃの上端と電磁石５ｄのアクチュエータ５ｅとをピン５ｆ、５ｇで可回動に接続した連杆５ｈとで構成されている。回動板５ｃの表面には「停電中。ライト点滅」等の文字が記され、ケース５ａの内側には「ありがとうございました」等の文字が記されている。そして、通電されて電磁石５ｄが励磁されると、アクチュエータ５ｅが吸引され、連杆５ｈが引かれて回動板５ｃは図２の実線の位置になり、ケース５ａの内側に記されている文字が表示される。また、電磁石５ｄが消磁されると、回動板５ｃは重力により図２の点線の位置になり、回動板５ｃの表面に記されている文字が表示される。なお、図中の符号５ｉは、ケース５ａ内に記されている文字を照らす照明灯である。
【００１０】
図４に示すように出車案内装置１の支柱２は、給油所又は駐車場の出車口９に立設され、出車案内装置１の第一の車検知器６は出車口９の手前の出車路１０に設けられ、第二の車検知器７は出車口９に設けられる。そして、カーブミラー３は出車する車の運転手が車道１１の走行状態が見易いように配置され、出車報知器４は車道１１を走行中の車の運転手および歩道１２を歩行中の人から見易いように配置され、表示器５は出車する車の運転手が見易いように配置される。
【００１１】
次に動作を説明する。ソケット８が図示しないコンセントに接続され、出車案内装置１に商用電力が供給されているときは、表示器５の表明灯５ｉは点灯し、電磁石５ｄは励磁され、回動板５ｃは図２、３の実線の位置に回動している。そして、ケース５ａの内側に記されている「ありがとうございました」の文字が、出車路１０側から見える。
【００１２】
出車する車が出車路１０まで走行し、第一の車検知器６が車を検知すると、車検知信号が出車案内装置１の出車報知器４へ出力され、出車報知器４の回転点滅灯４ａ及び内照式看板４ｂは作動する。即ち、回転点滅灯４ａの赤色の光が点滅し、内照式看板４ｂが赤色に点滅する。
【００１３】
これにより、車道１１を走行中の車の運転者および歩道１２を歩行中の人は、出車口９から車が出てくることを知ることができる。そして、車道１１を走行中の車の運転者はカーブミラー３を見て、どのような車が出車してくるのかが判り、出車する車の運転者は、カーブミラー３を見ることにより車道１１の車の走行状態を知ることができる。このようにして、退出する車と走行中の車の出会い頭の事故を未然に防止することができるようになる。
【００１４】
そして、出車口９から車が出車し、第二の車検知器７が車を検知しなくなり、車非検知信号が出車報知器４へ出力され、回転点滅灯４ａ及び内照式看板４ｂの作動は停止する。
【００１５】
以上は商用電力が供給されている状態であるが、停電して商用電力が供給されなくなると電磁石５ｄが消磁し、回動板４ｃは重力で閉じて図２の点線の位置になり、回動板５ｃの表面に記されている「停電中。ライト点滅」の文字が見えるようになる。
【００１６】
これを見た運転者は車のライトを点滅して出車の合図をすると、ライトの点滅はカーブミラー３により車道１１側に反射し、車道１１を走行中の車の運転者は光により出車する車があることを知る。これにより、停電で出車報知器４が作動しない場合にでも、出会い頭の事故を未然に防止できるようになる。
【００１７】
そして、停電が直り、再び商用電力が供給されると、電磁石５ｄが励磁されてアクチュエータ５ｅが吸引され、回動板５ｃは連杆５ｈで引かれて図２の実線の位置に戻る。
【００１８】
【発明の効果】
以上説明したように本発明の出車案内装置は、カーブミラーと、出車路に設けられた車検知器の出力で作動する出車報知器と、停電時に表示が変更する表示器とを支柱に設けている。そして、表示器の通電時に表示される表示に「ありがとうございました」等の文字を記し、停電時に表示される表示に「停電中。ライト点滅」等の文字を記しておくことにより、停電時に出車する車の運転者はライトを点滅し、走行中の運転者はカーブミラーを介して入射するライトの点滅により出車する車があることを知り、停電時に出車報知器が作動しなくても出会い頭の事故を未然に防止することができるようになる。
【図面の簡単な説明】
【図１】  本発明の出車案内装置の正面図である。
【図２】  本発明の出車案内装置の表示器を断面で示す側面図である。
【図３】  本発明の出車案内装置の表示器の一部を断面で示す正面図である。
【図４】  本発明の出車案内装置を設置した出車口の平面図である。
【符号の説明】
１  出車案内装置
２  支柱
３  カーブミラー
４  出車報知器
４ａ  回転点滅灯
４ｂ  内照式看板
５  表示器
５ａ  ケース
５ｂ、５ｆ、５ｇ  ピン
５ｃ  回動板
５ｄ  電磁石
５ｅ  アクチュエータ
５ｈ  連杆
５ｉ  照明灯
６  第一の車検知器
７  第二の車検知器
８  ソケット
９  出車口
１０  出車路
１１  車道
１２  歩道
【図１】
0003840804.tif 000002
【図２】
0003840804.tif 000003
【図３】
0003840804.tif 000004
【図４】
0003840804.tif 000005